(57)【要約】【課題】直線状に重なっているコップを順次正確に引き抜くことが可能で、コップの変形や破損を防止するコップディスペンサー用アダプターを提供する。【解決手段】固定リング体１０と係止突起２０を備えたアダプターを構成する。固定リング体１０を収納筒Ｓの端部に連結する。固定リング体１０の内側に複数の係止突起２０を突設する。係止突起２０の先端でコップＰの開口部Ｐ１を係止する。係止突起２０に上部係止片２１と下部係止片２２を設ける。上部係止片２１は、底部側に位置するコップＰの開口部Ｐ１を係止する。下部係止片２２は、係止したコップＰの側面に当接する。上部係止片２１から引き抜いたコップＰの開口部Ｐ１が下部係止片２２に当接する。その後、コップＰが引き出されるように構成する。【選択図】  図３
0003193435.tif 000002
【実用新案登録請求の範囲】
【請求項１】
使い捨て用のコップを重ねた状態で収納する収納筒と、該収納筒の端部に装着され、底部側に位置するコップを引き抜く際に重なったコップを順次分離するように構成されたアダプターとを備えるコップディスペンサーのアダプターにおいて、収納筒の端部に連結する固定リング体と、該固定リング体の内側に突設されコップの開口部を係止する弾性材にて形成された複数の係止突起とを備え、各係止突起は、舌片状を成す上部係止片と下部係止片とが上下に連設され、上部係止片は重なったコップの底部側に位置するコップの開口部を先端で係止し、下部係止片は上部係止片に係止されたコップの側面に当接するように構成され、コップを引き抜く際に、上部係止片から引き抜かれたコップの開口部が下部係止片の先端に再び係止し、該下部係止片に係止されたコップを再度引き抜くように構成したことを特徴とするコップディスペンサー用アダプター。
【請求項２】
前記固定リング体において、前記係止突起の位置より下方に設けられ、底部側に位置する前記コップの周側面に当接するドーナツ型の防塵膜を備えた請求項１記載のコップディスペンサー用アダプター。
【請求項３】
前記係止突起はシリコンゴムにて形成され、前記固定リング体の内側の４か所に凹設されたスライド凹部に着脱自在に装着された請求項１記載のコップディスペンサー用アダプター。
【考案の詳細な説明】
【技術分野】
【０００１】
本考案は、紙コップや合成樹脂製コップ等の使い捨て用のコップを個別に取り出すように構成したコップディスペンサー用アダプターに関するものである。
【背景技術】
【０００２】
コップディスペンサーは、直線状に積み重ねた状態で収納されている使い捨て用のコップを順に一個ずつ取り出すことができる装置である。このコップディスペンサーは、コップを収納する収納筒と、収納筒の端部に装着されたアダプターとで構成されており、収納筒内には、積み重ねた複数のコップをアダプター方向に付勢するコイルばねが装着されている。そして、このアダプターから突出したコップを引き抜くだけで、コップを一個ずつ分離して取り出すことができるように構成したものである。
【０００３】
従来のアダプターは、積み重ねたコップを一個ずつ分離するために、特許文献１に記載のコイルスプリングのような弾性体をコップの開口部に係止している。また、コイルスプリングに代えて合成樹脂製の膜などを弾性体として装着したアダプターもある。いずれのアダプターも、底部側に位置するコップの開口部に係止する構成である。
【０００４】
スプリングを設けたアダプターでは、コップを引き抜く際に強力な弾性力がコップの開口部に伝わるので、コップが変形する虞がある。一方、合成樹脂製の膜を設けたアダプターは、コップの径に対応した抜出孔を膜に形成するので、コップの径が変更された場合は、アダプターごと膜を交換する必要がある。しかも、合成樹脂の膜は、膜に傷がつくと、そこから亀裂が入りやすく、スプリングに比べて耐久性が劣る不都合があった。
【０００５】
そこで、耐久性を向上せしめるコップディスペンサーの膜が特許文献２に提案されている。この膜は、中央に円形の抜出孔を形成し、該抜出孔に対して放射状に凹凸部を形成したものである。この膜によると、抜出孔からコップを引き出す際に、凹凸部が広がるようにすることで膜の弾力性と耐久性を高めるというものである。
【先行技術文献】
【特許文献】
【０００６】
【特許文献１】特許第３９５３６５１号公報
【特許文献２】特許第２６２７７７３号公報
【考案の開示】
【考案が解決しようとする課題】
【０００７】
ところが、従来のコップディスペンサー用アダプターは、底部側のコップを一個引き抜いたときに、複数のコップが重なって引き抜かれることが多いものであった。すなわち、従来のアダプターは、スプリング方式又は膜方式のいずれの方式であっても、底部側に位置するコップの開口部を係止する構成で、係止されているコップをスプリングや膜から引き抜くと、スプリングや膜等の弾性によって次のコップの開口部の位置にスプリングや膜が戻り、次のコップを係止する構成になっている。
【０００８】
そのため、コップを強く握りすぎると次のコップも重なった状態で引き出してしまうことがある。また、コップを引き抜く速度が速すぎる場合も、開口部を係止する弾性材の戻りが遅れて次のコップを係止することができなくなり、コップが分離されずに複数のコップが重なった状態で引き抜かれることもある。
【０００９】
仮に、アダプターに装着するスプリングや膜の係止力を高めると、脆弱な構造の紙コップや樹脂製のコップは極めて変形し易い性質があるので、コップの開口部が破損する虞もあった。
【００１０】
そこで本考案は、コップディスペンサーに収納しているコップを順次正確に分離して引き抜くことが可能になり、しかも、コップの開口部の変形や破損を防止することができるコップディスペンサー用アダプターの提供を目的とするものである。
【課題を解決するための手段】
【００１１】
本考案の第１の手段は、使い捨て用のコップＰを重ねた状態で収納する収納筒Ｓと、該収納筒Ｓの端部に装着され、底部側に位置するコップＰを引き抜く際に重なったコップＰを順次分離するように構成されたアダプターとを備えるコップディスペンサーのアダプターにおいて、収納筒Ｓの端部に連結する固定リング体１０と、該固定リング体１０の内側に突設されコップＰの開口部Ｐ１を係止する弾性材にて形成された複数の係止突起２０とを備え、各係止突起２０は、舌片状を成す上部係止片２１と下部係止片２２とが上下に連設され、上部係止片２１は重なったコップＰの底部側に位置するコップＰの開口部Ｐ１を先端で係止し、下部係止片２２は上部係止片２１に係止されたコップＰの側面に当接するように構成され、コップＰを引き抜く際に、上部係止片２１から引き抜かれたコップＰの開口部Ｐ１が下部係止片２２の先端に再び係止し、該下部係止片２２に係止されたコップＰを再度引き抜くように構成したことにある。
【００１２】
第２の手段は、前記固定リング体１０において、前記係止突起２０の位置より下方に設けられ、底部側に位置する前記コップＰの周側面に当接するドーナツ型の防塵膜１１を備えたものである。
【００１３】
第３の手段の前記係止突起２０は、シリコンゴムにて形成され、前記固定リング体１０の内側の対向する位置に凹設されたスライド凹部１２に着脱自在に装着されている。
【考案の効果】
【００１４】
本考案の請求項１の如く、弾性材にて形成された上下の上部係止片２１及び下部係止片２２の先端がコップＰの開口部Ｐ１を２度係止するので、仮にコップＰが重なった状態で上部係止片２１から引き抜いてしまっても、下部係止片２２の先端部が重なったコップＰを確実に分離することができる。この結果、直線状に重なっているコップの底部側のコップのみを順次正確に引き抜くことが可能になった。
【００１５】
しかも、係止突起２０は弾性材にて形成されているので、コイルスプリングを使用した従来のアダプターによって生じる虞のあるコップの開口部の変形や破損を防止することができる。
【００１６】
請求項２のように、下部係止片２２の位置より下方に設けられ、底部側に位置する前記コップＰの周側面に当接するドーナツ型の防塵膜１１を固定リング体１０に備えたことで、本考案アダプターの内部に塵埃が侵入するのを防止することができる。したがって、本考案アダプターは常に清潔な状態で使用することが可能になった。
【００１７】
請求項３のごとく、係止突起２０はシリコンゴムにて形成されているので耐久性に優れ、半永久的な使用が可能になる。また、この係止突起２０は、固定リング体１０の内側の４か所に凹設されたスライド凹部１２に着脱自在に装着されているので、係止突起２０の交換が容易になり、コップＰの直径が変更になった場合でも、サイズの異なった係止突起２０に簡単に交換することができる。
【００１８】
しかも、固定リング体１０の内側の対向する位置に装着された係止突起２０により、コップＰを確実に支持できるので、安定した支持力を備え、且つ、少ない数の係止突起２０によってコップＰを引き抜き易くすることができる。
【００１９】
このように本考案によると、直線状に重なっているコップの底部側のコップのみを順次正確に引き抜くことが可能になり、しかも、コップの開口部の変形や破損を防止することができるなどといった当初の目的を達成することに成功した。
【図面の簡単な説明】
【００２０】
【図１】本考案の一実施例を示す斜視図である。
【図２】本考案の一実施例を示す分解斜視図である。
【図３】本考案の使用状態を示す断面図である。
【図４】（イ）〜（ハ）は、係止突起による分離状態を示す説明図である。
【考案を実施するための形態】
【００２１】
本考案アダプターは、コップディスペンサーに装着するもので、このコップディスペンサーは、使い捨て用のコップＰを直線状に重ねた状態で収納する収納筒Ｓと、重なったコップＰを順次分離するアダプターとで構成され、底部側に位置するコップＰを１個ずつ引き抜くように設けたものである（図３参照）。アダプターは、収納筒Ｓの端部に装着されるもので、底部側に位置するコップＰを引き抜く際に、重なったコップＰを１個ずつ分離するように構成されている。
【００２２】
本考案アダプターの基本構成は、固定リング体１０と係止突起２０とを備えたものである（図１参照）。固定リング体１０は、収納筒Ｓの端部に連結する環体状の部材で、この固定リング体１０の内側に係止突起２０を突設している。図示の固定リング体１０は、合成樹脂製のリング体１０Ａを２個重ねて連結ボルト１３で連結している。
【００２３】
更に、底部側に位置するコップＰの周側面に当接するドーナツ型の防塵膜１１を固定リング体１０に備えている（図２参照）。この防塵膜１１は、固定リング体１０に装着した係止突起２０の位置より下方に設けられ、係止突起２０に係止しているコップＰの周囲を防塵膜１１にて覆うことで、固定リング体１０の内部に塵埃が侵入しないようにしている（図３参照）。
【００２４】
図示例では、固定リング体１０の下面に防塵膜１１を当てて固定リング１４にて固定している（図２参照）。また、固定リング体１０の上面に別の固定リング１４を当てて係止突起２０の抜け止めとしてする。この防塵膜１１は、合成樹脂製のフィルムをドーナツ型に形成したもので、コップＰ側面への当接面積を拡大するために、放射状のスリット１１Ａが形成されている。
【００２５】
係止突起２０は、固定リング体１０内側の対向する位置に突設された軟質性の部材で、収納筒Ｓに収納しているコップＰの底部側に位置するコップＰの開口部Ｐ１を係止するものである（図３参照）。図示の係止突起２０は、固定リング体１０の４方向の位置に装着されている（図１参照）。この係止突起２０は、シリコンゴムにて形成され、上部係止片２１と下部係止片２２とを備えている。上部係止片２１は舌片状を成し、底部側に位置するコップＰの開口部Ｐ１を先端部で係止する（図４参照）。
【００２６】
一方、下部係止片２２は、上部係止片２１よりも長めに形成した舌片状を成し、係止したコップＰの側面に当接する部位である（図４参照）。図示例では、上部係止片２１と下部係止片２２とをスライド固定片２３で一体化し、このスライド固定片２３を固定リング体１０の内側に凹設されたスライド凹部１２に上下スライド自在に装着するものである（図２参照）。
【００２７】
係止突起２０によるコップＰの分離状態を図４に示している。すなわち、同図（イ）の状態からコップＰを引き抜くと、同図（ロ）のように、上部係止片２１の先端に次のコップＰの開口部Ｐ１が係止すると共に、上部係止片２１から引き抜かれたコップＰの開口部Ｐ１が下部係止片２２の先端に再び係止する。更に、同図（ハ）のように、下部係止片２２に係止されたコップＰを引き抜くことにより、重なったコップＰを分離して取り出すことができる。
【００２８】
仮に、図４（イ）の状態でコップＰを強く握りすぎて、上部係止片２１からコップＰが重なった状態で引き抜いてしまっても、同図（ロ）のように下部係止片２２で再びコップＰの開口部Ｐ１を係止するので、重なっている他のコップＰをこの下部係止片２２にて分離することができる。
【００２９】
また、コップを引き抜く速度が速くなっても、上部係止片２１と下部係止片２２による２段階の係止作用によってコップＰを確実に分離することが可能になる。しかも、下部係止片２２がコップＰの周囲を常に当接しているので、コップＰを引き抜く速度を規制することも可能である。
【００３０】
尚、本考案の固定リング体１０や係止突起２０の形状やサイズ、あるいはコップディスペンサーの種類等は本考案の要旨を変更しない範囲において自由に選択することができる。
【符号の説明】
【００３１】
Ｐ  コップ
Ｓ  収納筒
１０  固定リング体
１０Ａ  リング体
１１  防塵膜
１１Ａ  スリット
１２  スライド凹部
１３  連結ボルト
１４  固定リング
２０  係止突起
２１  上部係止片
２２  下部係止片
２３  スライド固定片
【図１】
0003193435.tif 000003
【図２】
0003193435.tif 000004
【図３】
0003193435.tif 000005
【図４】
0003193435.tif 000006